(57)【要約】【課題】  ＯＦＤＭパケット信号などのパケット信号が連続して受信される場合であっても、各パケット信号のそれぞれの信号処理に十分な時間をかけることが可能な受信装置を提供することを目的とする。【解決手段】  ＢＢＰ部３において、ＯＦＤＭパケット信号のシグナル部を復調し、そのシグナル部に示されるデータ部の伝送レート（シグナル部の後に続くデータ部の伝送レート）及びデータ部のパケット長（シグナル部の後に続くデータ部の長さ）に基づいてＯＦＤＭパケット信号のデータ部のパケット長を推定することにより、ＢＢＰ部３におけるＯＦＤＭパケット信号の受信終了タイミングを推定し、その受信終了タイミングに基づいてＲＦ部２の動作状態を信号処理状態から受信待受状態に切り替える。【選択図】      図２
2006237946.tif 000002
【特許請求の範囲】
【請求項１】
受信されるパケット信号をＲＦからベースバンドに変換する変換手段と、
前記変換手段によりベースバンドに変換されたパケット信号を復調する復調手段と、
予め決められたタイミングでカウントを開始するカウンタと、
前記パケット信号のデータ部の伝送レートと前記カウンタの１カウントあたりの前記データ部の受信データ量とが関連付けられて記録されるデータテーブルと、
前記カウンタのカウント値と前記パケット信号のシグナル部に示される前記データ部の伝送レートに対応する前記データテーブルの受信データ量とに基づいて前記データ部の受信済データ量を算出する第１の算出手段と、
前記シグナル部に示される前記データ部のパケット長に基づいて前記データ部の総データ量を算出する第２の算出手段と、
前記受信済データ量が前記総データ量を超えるか否かを判断し、前記受信済データ量が前記総データ量を超えたと判断すると、前記パケット信号の受信が終了した旨を示す受信終了信号を出力する比較手段と、
前記受信終了信号が入力されると、前記変換手段の動作状態を変換処理状態から受信待受状態に切り替える切替手段と、
を備えることを特徴とする受信装置。
【請求項２】
受信されるパケット信号をＲＦからベースバンドに変換する変換手段と、
前記変換手段によりベースバンドに変換されたパケット信号を復調する復調手段と、
予め決められたタイミングでカウントを開始するカウンタと、
前記パケット信号のデータ部の伝送レートと前記カウンタの１カウントあたりの前記データ部の受信データ量とが関連付けられて記録されるデータテーブルと、
前記カウンタのカウント毎に、前記カウンタのカウント値と前記パケット信号のシグナル部に示される前記データ部の伝送レートに対応する前記データテーブルの受信データ量とに基づいて前記データ部の受信済データ量を算出する第１の算出手段と、
前記シグナル部に示される前記データ部のパケット長に基づいて前記データ部の総データ量を算出する第２の算出手段と、
前記伝送レート及び前記パケット長が確定すると、前記受信済データ量が前記総データ量を超えるか否かを判断し、前記受信済データ量が前記総データ量を超えたと判断した場合、前記パケット信号の受信が終了した旨を示す受信終了信号を出力し、前記受信済データ量が前記総データ量を超えないと判断した場合、前記カウンタのカウント毎に、前記受信済データ量が前記総データ量を超えるか否かを判断し、前記受信済データ量が前記総データ量を超えると判断した場合、前記受信終了信号を出力する比較手段と、
前記受信終了信号が入力されると、前記変換手段の動作状態を変換処理状態から受信待受状態に切り替える切替手段と、
を備えることを特徴とする受信装置。
【請求項３】
受信されるパケット信号をＲＦからベースバンドに変換する変換手段と、
前記変換手段によりベースバンドに変換されたパケット信号を復調する復調手段と、
予め決められたタイミングでカウントを開始するカウンタと、
前記パケット信号のデータ部の伝送レートと前記カウンタの１カウントあたりの前記データ部の受信データ量とが関連付けられて記録されるデータテーブルと、
前記パケット信号のシグナル部に示される前記データ部の伝送レートに対応する前記データテーブルの受信データ量を前記カウンタのカウントの回数分加算することにより前記データ部の受信済データ量を算出する第１の算出手段と、
前記シグナル部に示される前記データ部のパケット長と所定のデータ量とを加算することにより前記データ部の総データ量を算出する第２の算出手段と、
前記伝送レート及び前記パケット長が確定すると、前記受信済データ量が前記総データ量を超えるか否かを判断し、前記受信済データ量が前記総データ量を超えたと判断した場合、前記パケット信号の受信が終了した旨を示す受信終了信号を出力し、前記受信済データ量が前記総データ量を超えないと判断した場合、前記カウンタのカウント毎に、前記受信済データ量が前記総データ量を超えるか否かを判断し、前記受信済データ量が前記総データ量を超えると判断した場合、前記受信終了信号を出力する比較手段と、
前記受信終了信号が入力されると、前記変換手段の動作状態を変換処理状態から受信待受状態に切り替える切替手段と、
を備えることを特徴とする受信装置。
【請求項４】
請求項１〜３の何れか１項に記載の受信装置であって、
前記パケット信号のシグナル部の後に続くデータ部が前記復調手段に入力されるタイミングを検出する検出手段を備え、
前記カウンタは、前記検出手段により検出されるタイミングに基づいてカウントを開始する、
ことを特徴とする受信装置。
【請求項５】
請求項１〜４の何れか１項に記載の受信装置であって、
前記変換手段は、前記パケット信号のＤＣオフセットを除去するＤＣオフセット除去手段を備え、
前記切替手段は、前記受信終了信号が入力されると、前記ＤＣオフセット除去手段の動作状態を低速信号処理状態から高速信号処理状態に切り替える、
ことを特徴とする受信装置。
【請求項６】
請求項１〜５の何れか１項に記載の受信装置であって、
前記受信終了信号が入力されると、前記復調手段を構成する複数の回路のうち信号処理が終了した回路から順次停止させていく停止手段を備える、
ことを特徴とする受信装置。
【請求項７】
請求項１〜６の何れか１項に記載の受信装置であって、
前記受信終了信号が入力されると、前記パケット信号の受信時に適したゲインから前記パケット信号の受信待受時に適したゲインに切り替えるアンプを備える、
ことを特徴とする受信装置。
【請求項８】
請求項１〜７の何れか１項に記載の受信装置であって、
前記受信終了信号が入力されると、前記復調手段を構成する複数の回路をそれぞれ高速処理させる高速処理手段を備える、
ことを特徴とする受信装置。
【請求項９】
受信されるパケット信号を変換手段によりＲＦからベースバンドに変換し、
前記変換手段によりベースバンドに変換されたパケット信号を復調手段により復調し、
予め決められたタイミングでカウンタのカウントを開始し、
予め前記パケット信号のデータ部の伝送レートと前記カウンタの１カウントあたりの前記データ部の受信データ量とを関連付けてデータテーブルに記録し、
前記カウンタのカウント値と前記パケット信号のシグナル部に示される前記データ部の伝送レートに対応する前記データテーブルの受信データ量とに基づいて前記データ部の受信済データ量を算出し、
前記シグナル部に示される前記データ部のパケット長に基づいて前記データ部の総データ量を算出し、
前記受信済データ量が前記総データ量を超えるか否かを判断し、
前記受信済データ量が前記総データ量を超えたと判断した場合、前記パケット信号の受信が終了した旨を示す受信終了信号を出力し、
前記受信終了信号が出力されると、前記変換手段の動作状態を変換処理状態から受信待受状態に切り替える、
ことを特徴とするパケット信号の受信終了推定方法。
【発明の詳細な説明】
【技術分野】
【０００１】
本発明は、パケット信号を受信する受信装置に関し、特に、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を採用した受信装置に関する。
【背景技術】
【０００２】
近年、無線ＬＡＮ（Ｌｏｃａｌ  Ａｒｅａ  Ｎｅｔｗｏｒｋ）の高速化に伴って、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１の標準化がますます注目を集めている。
【０００３】
そして、このような高速無線ＬＡＮの無線信号の変調方式の１つとして、例えば、ＯＦＤＭ方式がある（例えば、非特許文献１参照）。このＯＦＤＭ方式は、キャリア信号を複数に分け、それらのキャリア信号（パケット信号）にそれぞれ分割されたデータを乗せるというものである。このＯＦＤＭ方式には、マルチパス伝送などによる信号干渉の影響を受け難くすることができるというメリットがある。
【非特許文献１】８０２．１１高速無線ＬＡＮ教科書、監修  松江英明  守倉正博、発行  株式会社ＩＤＧジャパン、初版第２刷２００３年７月２９日
【発明の開示】
【発明が解決しようとする課題】
【０００４】
しかしながら、上記ＯＦＤＭ方式を採用した受信装置では、パケット信号の復調の際、フーリエ変換や分割したデータの並び替えなど時間のかかる信号処理をいくつも行う必要があるため、パケット信号の復調に多くの時間が費やされてしまう。そのため、パケット信号が連続して受信される場合において、各パケット信号の復調にそれぞれ多くの時間が費やされると、パケット信号の復調が終了するとすぐに次のパケット信号を受信しなくてはならなくなり、次のパケット信号の受信の準備にかけられる時間が少なくなるという問題がある。すなわち、パケット信号が連続して受信される場合、復調部の信号処理の遅延により変換部における受信準備時間が短くなるという問題がある。これにより、例えば、変換部において次のパケット信号のＤＣオフセットを除去する期間が短くなり、その分、次のパケット信号のＤＣオフセットが十分に除去できなくなるという問題が発生する。
【０００５】
そこで、本発明では、パケット信号が連続して受信される場合であっても、各パケット信号のそれぞれの信号処理に十分な時間をかけることが可能な受信装置を提供することを目的とする。
【課題を解決するための手段】
【０００６】
上記の課題を解決するために本発明では、以下のような構成を採用した。
すなわち、本発明の受信装置は、受信されるパケット信号をＲＦからベースバンドに変換する変換手段と、前記変換手段によりベースバンドに変換されたパケット信号を復調する復調手段と、予め決められたタイミングでカウントを開始するカウンタと、前記パケット信号のデータ部の伝送レートと前記カウンタの１カウントあたりの前記データ部の受信データ量とが関連付けられて記録されるデータテーブルと、前記カウンタのカウント値と前記パケット信号のシグナル部に示される前記データ部の伝送レートに対応する前記データテーブルの受信データ量とに基づいて前記データ部の受信済データ量を算出する第１の算出手段と、前記シグナル部に示される前記データ部のパケット長に基づいて前記データ部の総データ量を算出する第２の算出手段と、前記受信済データ量が前記総データ量を超えるか否かを判断し、前記受信済データ量が前記総データ量を超えたと判断すると、前記パケット信号の受信が終了した旨を示す受信終了信号を出力する比較手段と、前記受信終了信号が入力されると、前記変換手段の動作状態を変換処理状態から受信待受状態に切り替える切替手段とを備えることを特徴とする。
【０００７】
このように、パケット信号のシグナル部に示される伝送レートとデータテーブルとからデータ部の受信済データ量を求め、さらに、シグナル部に示されるのパケット長に基づいてデータ部の総データ量を求め、データ部の受信済データ量がデータ部の総データ量を超えると、受信終了信号を出力し変換手段の動作状態を変換処理状態から受信待受状態に切り替える構成としているので、少なくともデータ部の伝送レート及びパケット長が復調されるとパケット信号の受信が終了するタイミングを推定することができる。また、受信終了信号により変換手段の動作状態を変換処理状態から受信待受状態に切り替える構成としているので、復調手段が信号処理中にもかかわらず、変換手段の動作状態を変換処理状態から受信待受状態に切り替えることができるので、たとえパケット信号が連続して受信される場合であっても、各パケット信号のそれぞれの受信準備に十分な時間をかけることができる。
【０００８】
また、本発明の受信装置は、受信されるパケット信号をＲＦからベースバンドに変換する変換手段と、前記変換手段によりベースバンドに変換されたパケット信号を復調する復調手段と、予め決められたタイミングでカウントを開始するカウンタと、前記パケット信号のデータ部の伝送レートと前記カウンタの１カウントあたりの前記データ部の受信データ量とが関連付けられて記録されるデータテーブルと、前記カウンタのカウント毎に、前記カウンタのカウント値と前記パケット信号のシグナル部に示される前記データ部の伝送レートに対応する前記データテーブルの受信データ量とに基づいて前記データ部の受信済データ量を算出する第１の算出手段と、前記シグナル部に示される前記データ部のパケット長に基づいて前記データ部の総データ量を算出する第２の算出手段と、前記伝送レート及び前記パケット長が確定すると、前記受信済データ量が前記総データ量を超えるか否かを判断し、前記受信済データ量が前記総データ量を超えたと判断した場合、前記パケット信号の受信が終了した旨を示す受信終了信号を出力し、前記受信済データ量が前記総データ量を超えないと判断した場合、前記カウンタのカウント毎に、前記受信済データ量が前記総データ量を超えるか否かを判断し、前記受信済データ量が前記総データ量を超えると判断した場合、前記受信終了信号を出力する比較手段と、前記受信終了信号が入力されると、前記変換手段の動作状態を変換処理状態から受信待受状態に切り替える切替手段とを備えることを特徴とする。
【０００９】
また、本発明の受信装置は、受信されるパケット信号をＲＦからベースバンドに変換する変換手段と、前記変換手段によりベースバンドに変換されたパケット信号を復調する復調手段と、予め決められたタイミングでカウントを開始するカウンタと、前記パケット信号の前記データ部の伝送レートと前記カウンタの１カウントあたりの前記データ部の受信データ量とが関連付けられて記録されるデータテーブルと、前記パケット信号のシグナル部に示される伝送レートに対応する前記データテーブルの受信データ量を前記カウンタのカウントの回数分加算することにより前記データ部の受信済データ量を算出する第１の算出手段と、前記シグナル部に示されるパケット長と所定のデータ量とを加算することにより前記データ部の総データ量を算出する第２の算出手段と、前記伝送レート及び前記パケット長が確定すると、前記受信済データ量が前記総データ量を超えるか否かを判断し、前記受信済データ量が前記総データ量を超えたと判断した場合、前記パケット信号の受信が終了した旨を示す受信終了信号を出力し、前記受信済データ量が前記総データ量を超えないと判断した場合、前記カウンタのカウント毎に、前記受信済データ量が前記総データ量を超えるか否かを判断し、前記受信済データ量が前記総データ量を超えると判断した場合、前記受信終了信号を出力する比較手段と、前記受信終了信号が入力されると、前記変換手段の動作状態を変換処理状態から受信待受状態に切り替える切替手段とを備えることを特徴とする。
【００１０】
また、上記受信装置は、前記パケット信号のシグナル部の後に続くデータ部が前記復調手段に入力されるタイミングを検出する検出手段を備え、前記カウンタは、前記検出手段により検出されるタイミングに基づいてカウントを開始するように構成してもよい。
【００１１】
また、上記受信装置の変換手段は、前記パケット信号のＤＣオフセットを除去するＤＣオフセット除去手段を備え、前記切替手段は、前記受信終了信号が入力されると、前記ＤＣオフセット除去手段の動作状態を低速信号処理状態から高速信号処理状態に切り替えるように構成してもよい。
【００１２】
また、上記受信装置は、前記受信終了信号が入力されると、前記復調手段を構成する複数の回路のうち信号処理が終了した回路から順次停止させていく停止手段を備えるように構成してもよい。
【００１３】
また、上記受信装置は、前記受信終了信号が入力されると、前記パケット信号の受信時に適したゲインから前記パケット信号の受信待受時に適したゲインに切り替えるアンプを備えるように構成してもよい。ここで、本発明における受信待ち受け時に適したゲインとは、次のパケット信号が高いレベルの信号であっても低いレベルの信号であっても確実に受信することができるゲインのことを指す。
【００１４】
また、上記受信装置は、前記受信終了信号が入力されると、前記復調手段を構成する複数の回路をそれぞれ高速処理させる高速処理手段を備えるように構成してもよい。
また、本発明のパケット信号の受信終了推定方法は、受信されるパケット信号を変換手段によりＲＦからベースバンドに変換し、前記変換手段によりベースバンドに変換されたパケット信号を復調手段により復調し、予め決められたタイミングでカウンタのカウントを開始し、予め前記パケット信号の前記データ部の伝送レートと前記カウンタの１カウントあたりの前記データ部の受信データ量とを関連付けてデータテーブルに記録し、前記カウンタのカウント値と前記パケット信号のシグナル部に示される前記データ部の伝送レートに対応する前記データテーブルの受信データ量とに基づいて前記データ部の受信済データ量を算出し、前記シグナル部に示される前記データ部のパケット長に基づいて前記データ部の総データ量を算出し、前記受信済データ量が前記総データ量を超えるか否かを判断し、前記受信済データ量が前記総データ量を超えたと判断した場合、前記パケット信号の受信が終了した旨を示す受信終了信号を出力し、前記受信終了信号が出力されると、前記変換手段の動作状態を変換処理状態から受信待受状態に切り替えることを特徴とする。
【発明の効果】
【００１５】
本発明によれば、たとえパケット信号が連続して受信される場合であっても、各パケット信号のそれぞれの受信準備に十分な時間をかけることができる。
【発明を実施するための最良の形態】
【００１６】
以下、本発明の実施形態を図面を用いて説明する。
図１（ａ）は、本発明の実施形態の受信装置を模式的に示す図である。
図１（ａ）に示す受信装置１は、例えば、ＯＦＤＭ方式のパケット通信が行われる無線通信ネットワークに使用される無線ＬＡＮカードなどであって、ノートパソコンやＰＤＡ（Ｐｅｒｓｏｎａｌ  Ｄｉｇｉｔａｌ  Ａｓｓｉｓｔａｎｔ）などのメインコンピュータに接続され利用される。
【００１７】
また、図１（ａ）に示すように、受信装置１は、ＲＦ（Ｒａｄｉｏ  Ｆｒｅｑｕｅｎｃｙ）の信号処理などを行うＲＦ部２と、ベースバンドの信号処理などを行うＢＢＰ（ＢａｓｅＢａｎｄ  Ｐｒｏｃｅｓｓｏｒ）部３と、受信装置１全体の動作制御やノートパソコンなどのメインコンピュータ４とのインターフェイス制御などを行うＭＡＣ（Ｍｅｄｉａ  Ａｃｃｅｓｓ  Ｃｏｎｔｒｏｌ）部５とを備えて構成されている。
【００１８】
まず、受信装置１は、ＯＦＤＭパケット信号を受信すると、ＲＦ部２によりＯＦＤＭパケット信号をＲＦからベースバンドに変換する。
次に、受信装置１は、ベースバンドに変換されたＯＦＤＭパケット信号をＢＢＰ部３により復調する。
【００１９】
そして、受信装置１は、復調されたＯＦＤＭパケット信号をＭＡＣ部５によりメインコンピュータ４に送る。
図１（ｂ）は、本実施の形態のＯＦＤＭパケット信号（パケット信号）を示す図である。
【００２０】
本実施の形態のＯＦＤＭパケット信号は、ショートプリアンブル部とロングプリアンブル部とからなるプリアンブル部と、ＰＳＤＵと所定のデータ量（ＳＥＲＶＩＣＥとＴａｉｌ）とパディングビットとからなるデータ部と、後続して送信されるデータ部の伝送レートおよびパケット長の情報を含んだシグナル部とから構成される。
【００２１】
なお、ＯＦＤＭパケット信号のパケット長の最小単位は、１  ＯＦＤＭ  Ｓｙｍｂｏｌ（４［μｓ］）で、そのパケット長は必ず１  ＯＦＤＭ  Ｓｙｎｂｏｌの整数倍になる。
次に、本実施形態の受信装置１の特徴とする点を説明する。
【００２２】
本実施形態の受信装置１の特徴とする点は、ＢＢＰ部３において、ＯＦＤＭパケット信号のシグナル部を復調し、そのシグナル部に示されるデータ部の伝送レート（シグナル部の後に続くデータ部の伝送レート）及びデータ部のパケット長（シグナル部の後に続くデータ部のデータ量）に基づいて、ＢＢＰ部３におけるＯＦＤＭパケット信号の受信終了タイミングを推定する点である。なお、本実施形態の受信装置１は、ＩＥＥＥ８０２．１１ａ／ｇに準拠するものとし、受信装置１が受信するＯＦＤＭパケット信号のシグナル部には、少なくともデータ部の伝送レート及びデータ部のパケット長が示されているものとする。
【００２３】
図２は、本発明の実施形態の受信装置１の一例を示す図である。なお、図１（ａ）と同じ構成には同じ符号を付している。
図２に示すように、ＲＦ部２は、ＯＦＤＭパケット信号をＲＦからベースバンドに変換する変換手段としての変換部６を備えている。
【００２４】
また、ＢＢＰ部３は、ベースバンドに変換されたＯＦＤＭパケット信号を復調する復調手段としての復調部７と、復調部７から出力されるタイミング信号、データ部の伝送レート、及びデータ部のパケット長に基づいてＯＦＤＭパケット信号の受信終了タイミングを示す受信終了信号を出力する受信終了信号出力部８とを備えている。
【００２５】
また、復調部７は、ベースバンドに変換されたＯＦＤＭパケット信号のショートプリアンブル部に基づいて、ロングプリアンブル部が復調部７に入力されるタイミングから１  ＯＦＤＭ  Ｓｙｍｂｏｌ（４［μｓ］）の整数倍の周期のタイミングでタイミング信号を出力する検出手段としてのタイミング検出部９を備えている。本実施の形態のタイミング検出部９は、ＯＦＤＭパケット信号のシグナル部の後に続くデータ部が復調部７に入力されるタイミングを検出し、そのタイミングを示すタイミング信号を出力している。より具体的にはＯＦＤＭパケット信号のデータ部のＳＥＲＶＩＣＥが復調部７に入力されるタイミング（ロングプリアンブル部が復調部７に入力されるタイミングから３つのＯＦＤＭ  Ｓｙｍｂｏｌ（１２［μｓ］）後）を検出し、タイミング信号を出力している。
【００２６】
また、受信終了信号出力部８は、タイミング検出部９から出力されるタイミング信号が入力されるとカウントを開始するカウンタ１０と、ＯＦＤＭパケット信号のデータ部の伝送レートとカウンタ１０の１カウントあたりのデータ部の受信データ量とが関連付けられて記録されると共に、復調部７から出力されるデータ部の伝送レートに対応するデータ部の受信データ量を出力するデータテーブル１１と、カウンタ１０のカウント毎（１  ＯＦＤＭ  Ｓｙｍｂｏｌ毎）にデータテーブル１１から出力されるデータ部の受信データ量を加算しその合計を復調部７におけるＯＦＤＭパケット信号のデータ部の受信済データ量として出力する第１の算出手段としての加算部１２と、復調部７から出力されるシングル部に示されるデータ部のパケット長が示すデータ量と所定のデータ量とを加算しその合計をＯＦＤＭパケット信号のデータ部の総データ量として出力する第２の算出手段としての加算部１３と、加算部１２から出力されるデータ部の受信済データ量と加算部１３から出力されるデータ部の総データ量とを比較し、受信済データ量が総データ量を超えると受信終了信号を出力する比較手段としての比較部１４とを備えて構成されている。
【００２７】
なお、本実施の形態の総データ量とは、プリアンブル部とシグナル部とパディングビットを除くデータ部とからなるＯＦＤＭパケット信号のデータ量のことを指す。
ここで、図３は、データテーブル１１の一例を示す図である。
【００２８】
図３に示すデータテーブル１１は、ＩＥＥＥ８０２．１１ａ／ｇにおいて使用される「６Ｍｂｐｓ」、「９Ｍｂｐｓ」、「１２Ｍｂｐｓ」、「１８Ｍｂｐｓ」、「２４Ｍｂｐｓ」、「３６Ｍｂｐｓ」、「４８Ｍｂｐｓ」、「５４Ｍｂｐｓ」の８つのＯＦＤＭパケット信号のデータ部の伝送レートに対応するように、８つのレコード３０（３０−１〜３０−８）で構成されている。ＯＦＤＭパケット信号のパケット長の最小単位は、１  ＯＦＤＭ  Ｓｙｍｂｏｌ（４［μｓ］）で、そのパケット長は必ず１  ＯＦＤＭ  Ｓｙｍｂｏｌの整数倍になる。また、１  ＯＦＤＭ  Ｓｙｍｂｏｌあたりのデータ部の受信データ量は、データ部の伝送レートによって決定される。各レコード３０は、それぞれ、データ部の伝送レート［Ｍｂｐｓ］が記録される伝送レート領域３１と、１  ＯＦＤＭ  Ｓｙｍｂｏｌ（４［μｓ］）あたりのデータ部の受信データ量［ｂｉｔ］を示す受信データ量領域３２とを備えて構成されている。図３に示す例では、レコード３０−１の伝送レート領域３１に「６」、受信データ量領域３２に「２４」が示されている。
【００２９】
また、図２において、変換部６は、ＯＦＤＭパケット信号のＤＣオフセットを除去するＤＣオフセット除去手段としてのＤＣオフセット除去部１５と、受信終了信号出力部８から出力される受信終了信号に基づいてＤＣオフセット除去部１５の動作状態を低速信号処理状態から高速信号処理状態に切り替える切替部１６とを備えている。
【００３０】
また、復調部７は、受信終了信号出力部８から出力される受信終了信号に基づいて復調部７を構成する複数の回路、例えば、ＦＦＴ回路（Ｆａｓｔ  Ｆｏｕｒｉｅｒ  Ｔｒａｎｓｆｏｒｍ）やデインターリーブ回路などを信号処理が終了した回路から順次停止させる停止手段としての停止部１７と、受信終了信号出力部８から出力される受信終了信号に基づいてＯＦＤＭパケット信号の受信時に適したゲインからＯＦＤＭパケット信号の受信待受時に適したゲインに切り替わるアンプとしてのＡＧＣ（Ａｕｔｏｍａｔｉｃ  Ｇａｉｎ  Ｃｏｎｔｒｏｌ）アンプ１８と、受信終了信号出力部８から出力される受信終了信号に基づいて復調部７を構成する複数の回路をそれぞれ高速に処理させる高速処理手段としての高速処理部１９とを備えている。
【００３１】
次に、図３に示すデータテーブル１１を使用して受信装置１の動作を説明する。
図４は、受信装置１の動作の一例を説明するための図である。なお、図４の１段目はＢＢＰ部３に入力されるＯＦＤＭパケット信号の入力タイミング（ＲＦ部２が備えるＡＤ変換回路（ＡＤＣ）からＢＢＰ部３にＯＦＤＭパケット信号が出力されるタイミング）を示し、２番目はカウンタ１０のカウントタイミングを示し、３段目はデータ部の伝送レートの確定タイミングを示し、４段目はデータ部のパケット長の確定タイミングを示し、５段目はデータ部の受信済データ量を示し、６段目は受信終了信号を示している。
【００３２】
まず、受信装置１は、タイミング検出部９においてＯＦＤＭパケット信号のショートプリアンブル部に基づいてＯＦＤＭパケット信号のシグナル部の後に続くデータ部が復調部７に入力されるタイミングを検出し、そのタイミングを示すタイミング信号を出力する。
【００３３】
次に、受信装置１は、タイミング信号が出力されるとカウンタ１０を１  ＯＦＤＭ  Ｓｙｍｂｏｌ（４［μｓ］）毎にカウントさせる。
また、受信装置１は、復調部７に設けられるＦＦＴ回路やデインターリーブ回路などによりＯＦＤＭパケット信号を復調する。
【００３４】
次に、受信装置１は、ＯＦＤＭパケット信号のシグナル部が復調されデータ部の伝送レートが確定すると、加算部１２においてカウンタ１０のカウントの回数分データテーブル１１から出力されるデータ部の受信データ量を加算しその合計をデータ部の受信済データ量として算出する。図４に示す例では、カウンタ１０のカウント値が２のときデータ部の伝送レートが確定している。例えば、このとき確定したデータ部の伝送レートが図３に示すデータテーブル１１の６［Ｍｂｐｓ］に対応する場合、加算部１２で算出されるデータ部の受信済データ量は、２４［ｂｉｔ］を２回加算した値、すなわち、２４＋２４＝４８［ｂｉｔ］となる。
【００３５】
次に、受信装置１は、ＯＦＤＭパケット信号のシグナル部が復調され、データ部のパケット長が確定すると、加算部１３においてシグナル部に示されるデータ部のパケット長が示すデータ量［ｏｃｔｅｔ］（１［ｏｃｔｅｔ］＝８［ｂｉｔ］）と所定のデータ量（１６［ｂｉｔ］（ＳＥＲＶＩＣＥ）＋６［ｂｉｔ］（ｔａｉｌ））とを加算しその合計をデータ部の総データ量として算出する。図４に示す例では、カウンタ１０のカウンタ値が２のときデータ部のパケット長が確定している。例えば、このとき確定したデータ部のパケット長が示すデータ量が３［ｏｃｔｅｔ］である場合、総データ量は、２４（データ部のパケット長が示すデータ量）＋１６（ＳＥＲＶＩＣＥ）＋６（ｔａｉｌ）＝４６［ｂｉｔ］となる。また、例えば、確定したデータ部のパケット長が示すデータ量が９［ｏｃｔｅｔ］である場合、データ部の総データ量は、７２（データ部のパケット長が示すデータ量）＋１６（ＳＥＲＶＩＣＥ）＋６（ｔａｉｌ）＝９４［ｂｉｔ］となる。
【００３６】
次に、受信装置１は、比較部１４においてデータ部の受信済データ量とデータ部の総データ量とを比較し、受信済データ量が総データ量を超えるか否かを判断する。
そして、受信装置１は、受信済データ量が総データ量を超えたと判断した場合、受信終了信号を出力する。例えば、データ部の伝送レート及びパケット長が確定したときのカウンタ１０のカウンタ値が２であり、確定したデータ部の伝送レートが図３に示すデータテーブル１１の６［Ｍｂｐｓ］に対応し、確定したデータ部のパケット長が示すデータ量が３［ｏｃｔｅｔ］である場合、受信装置１は、データ部の伝送レート及びパケット長が確定したタイミングにおいて、データ部の受信済データ量４８［ｂｉｔ］がデータ部の総データ量４６［ｂｉｔ］を超えると判断し、受信終了信号を出力する。
【００３７】
一方、受信装置１は、データ部の受信済データ量がデータ部の総データ量を超えないと判断した場合、比較部１４において、カウンタ１０のカウント毎に、データ部の受信済データ量とデータ部の総データ量とを比較し、受信済データ量が総データ量を超えるか否かを判断する。
【００３８】
そして、受信装置１は、データ部の受信済データ量がデータ部の総データ量を超えたと判断した場合、受信終了信号を出力する。例えば、データ部の伝送レート及びデータ部のパケット長が確定したときのカウンタ１０のカウンタ値が４であり、確定したデータ部の伝送レートが図３に示すデータテーブル１１の６［Ｍｂｐｓ］に対応し、確定したデータ部のパケット長が示すデータ量が９［ｏｃｔｅｔ］である場合、受信装置１は、カウンタ１０のカウンタ値が４になったタイミングにおいて、データ部の受信済データ量９６［ｂｉｔ］がデータ部の総データ量９４［ｂｉｔ］を超えると判断し、受信終了信号を出力する。
【００３９】
そして、受信装置１は、受信終了信号が出力されると、切替部１６においてＤＣオフセット除去部１５の動作状態を、ＯＦＤＭパケット信号のロングプリアンブル部とシグナル部とデータ部のＤＣオフセット除去処理状態（低速信号処理状態）からＯＦＤＭパケット信号のショートプリアンブル部のＤＣオフセット除去処理状態（高速信号処理状態）に切り替える。
【００４０】
また、受信装置１は、受信終了信号が出力されると、停止部１７において復調部７を構成するＦＦＴ回路やデインターリーブ回路などを信号処理が終了した回路から順次停止させる。
【００４１】
また、受信装置１は、受信終了信号が出力されると、ＡＧＣアンプ１８においてゲインをＯＦＤＭパケット信号の受信時に適したゲインからＯＦＤＭパケット信号の受信待受時に適したゲインに切り替える。
【００４２】
また、受信装置１は、受信終了信号が出力されると、高速処理部１９において復調部７を構成するＦＦＴ回路やデインターリーブ回路などをそれぞれ高速に処理させる。
このように、本実施形態の受信装置１では、ＯＦＤＭパケット信号のシグナル部に示されるデータ部の伝送レートとデータテーブル１１とからデータ部の受信済データ量を求め、さらに、シグナル部に示されるデータ部のパケット長に基づいてデータ部の総データ量を求め、データ部の受信済データ量がデータ部の総データ量を超えると、受信終了信号を出力し変換部６の動作状態を信号処理状態から受信待受状態に切り替える構成としているので、少なくともシグナル部のデータ部の伝送レート及びパケット長が復調されるとＯＦＤＭパケット信号の受信が終了するタイミングを推定することができる。また、受信終了信号により変換部６の動作状態を変換処理状態から受信待受状態に切り替える構成としているので、復調部７が信号処理中にもかかわらず、変換部６の動作状態を変換処理状態から受信待受状態に切り替えることができるので、ＯＦＤＭパケット信号を連続して受信する場合でも、各ＯＦＤＭパケット信号のそれぞれの受信準備に十分な時間をかけることができる。
【００４３】
また、本実施形態の受信装置１は、受信終了信号が出力されると、ＤＣオフセット除去部１５の動作状態を低速信号処理状態から高速信号処理状態に切り替える構成であるため、ＯＦＤＭパケット信号全体が復調された後、ＤＣオフセット除去部１５の動作状態を低速信号処理状態から高速信号処理状態に切り替える構成に比べて、ＯＦＤＭパケット信号のＤＣオフセット除去に多くの時間を費やすことができる。これにより、ＯＦＤＭパケット信号のＤＣオフセットを十分除去することができるので、より安定したＯＦＤＭパケット信号の復調処理を行うことができる。
【００４４】
また、本実施形態の受信装置１は、受信終了信号が出力されると、復調部７を構成する複数の回路を順次停止させる構成であるため、それらの回路をそれぞれ信号処理が終了した時点ですぐに停止させることができ、受信装置１全体の消費電力を抑えることができる。
【００４５】
また、受信装置１は、受信終了信号が出力されると、ＡＧＣアンプ１８のゲインをＯＦＤＭパケット信号の受信時に適したゲインからＯＦＤＭパケット信号の受信待受時に適したゲインに切り替える構成であるため、次のＯＦＤＭパケット信号が高いレベルの信号であっても低いレベルの信号であっても確実に受信することができる。
【００４６】
また、受信装置１は、受信終了信号が出力されると、復調部７を構成する複数の回路をそれぞれ高速に処理させる構成であるため、それらの回路におけるＯＦＤＭパケット信号の終端部の信号処理遅延がそれぞれ短くなり、ＯＦＤＭパケット信号のスループットを上げることができる。
【００４７】
なお、上記実施形態では、復調部７に、停止部１７、ＡＧＣアンプ１８、及び高速処理部１９が備えられる構成であるが、復調部７に停止部１７のみが備えられる構成としてもよい。また、復調部７に、ＡＧＣアンプ１８のみが備えられる構成としてもよい。また、復調部７に、高速処理部１９のみが備えられる構成としてもよい。また、本実施形態ではデータ部の受信済データ量と総データ量を比較し、パケット信号の受信が終了するタイミングを推定しているが、これに限らず、プリアンブル部とシグナル部とデータ部とからなるＯＦＤＭパケット信号全体の受信済データ量と、プリアンブル部とシグナル部とパディングビットを除くデータ部とからなるＯＦＤＭパケット信号のデータ量とを比較し、パケット信号の受信が終了するタイミングを推定してもよい。この場合でもＯＦＤＭパケット信号のプリアンブル部とシグナル部は固定長なので、データ部の受信済みデータ量と総データ量を比較しているのと実質同じである。
【００４８】
また、本実施の形態のタイミング検出部９は、ＯＦＤＭパケット信号のシグナル部の後に続くデータ部が復調部７に入力されるタイミングでタイミング信号を出力する構成であるが本発明はこれに限定されない。例えば、シグナル部が復調部７に入力されるタイミングでタイミング信号を出力する構成であってもよい。
【図面の簡単な説明】
【００４９】
【図１】（ａ）は、本発明の実施形態の受信装置を模式的に示す図である。（ｂ）は、本実施形態のＯＦＤＭパケット信号を示す図である。
【図２】本発明の実施形態の受信装置の一例を示す図である。
【図３】データテーブルの一例を示す図である。
【図４】受信装置の動作の一例を説明するための図である。
【符号の説明】
【００５０】
１      受信装置
２      ＲＦ部
３      ＢＢＰ部
４      メインコンピュータ
５      ＭＡＣ部
６      変換部
７      復調部
８      受信終了信号出力部
９      タイミング検出部
１０      カウンタ
１１      データテーブル
１２      加算部
１３      加算部
１４      比較部
１５      ＤＣオフセット除去部
１６      切替部
１７      停止部
１８      ＡＧＣアンプ
１９      高速処理部
【図１】
2006237946.tif 000003
【図２】
2006237946.tif 000004
【図３】
2006237946.tif 000005
【図４】
2006237946.tif 000006